(57)【要約】【課題】省電力化に寄与することが可能なコンベヤベルトを提供する。【解決手段】ベルト長手方向に延在する補強コードｆをベルト幅方向に所定の間隔でゴム層２ａに埋設した補強層２上に運搬物が接触する外面ゴム層３を設けたコンベヤベルトにおいて、補強層２と外面ゴム層３の少なくとも一方のゴムの損失正接tan δを０．０５≦tan δ≦０．２、５０％伸長時のモジュラスＭ50を１ＭＰａ≦Ｍ50≦２ＭＰａにする。【選択図】図１
2005212952.tif 000002
【特許請求の範囲】
【請求項１】
運搬物が接触する外面ゴム層を備えたコンベヤベルトにおいて、前記外面ゴム層のゴムの損失正接tan δを０．０５≦tan δ≦０．２、５０％伸長時のモジュラスＭ50を１ＭＰａ≦Ｍ50≦２ＭＰａにしたコンベヤベルト。
【請求項２】
ベルト長手方向に延在する補強コードをベルト幅方向に所定の間隔でゴム層に埋設した補強層を備えたコンベヤベルトにおいて、前記ゴム層のゴムの損失正接tan δを０．０５≦tan δ≦０．２、５０％伸長時のモジュラスＭ50を１ＭＰａ≦Ｍ50≦２ＭＰａにしたコンベヤベルト。
【請求項３】
ベルト長手方向に延在する補強コードをベルト幅方向に所定の間隔でゴム層に埋設した補強層上に運搬物が接触する外面ゴム層を設けたコンベヤベルトにおいて、前記補強層及び前記外面ゴム層のゴムの損失正接tan δを０．０５≦tan δ≦０．２、５０％伸長時のモジュラスＭ50を１ＭＰａ≦Ｍ50≦２ＭＰａにしたコンベヤベルト。
【発明の詳細な説明】
【技術分野】
【０００１】
本発明は、コンベヤベルトに関し、更に詳しくは、省電力に寄与するコンベヤベルトに関する。
【背景技術】
【０００２】
昨今、環境対策の一環として、あらゆる分野で省エネが強く求められている。コンベヤベルトの分野もその例外ではなく、プーリ間に掛回したコンベヤベルトを駆動するモータの消費電力を削減可能なコンベヤベルトの提案が求められている。
【０００３】
そこで、従来、上記対策として、プーリと接触する内面ゴム層のゴムの粘弾性を特定するようにしたコンベヤベルトが提案されており（例えば、特許文献１参照）、それにより走行抵抗を低下させてエネルギー損失を低減し、省電力化を図るようにしている。
【０００４】
しかしながら、省エネに対する要求は止まることがなく、新たな技術の提案が常に求められている。
【特許文献１】特開平１１−１３９５２３号公報
【発明の開示】
【発明が解決しようとする課題】
【０００５】
本発明は、省電力化に寄与することが可能なコンベヤベルトを提供することにある。
【課題を解決するための手段】
【０００６】
上記目的を達成する本発明のコンベヤベルトは、運搬物が接触する外面ゴム層を備えたコンベヤベルトにおいて、前記外面ゴム層のゴムの損失正接tan δを０．０５≦tan δ≦０．２、５０％伸長時のモジュラスＭ50を１ＭＰａ≦Ｍ50≦２ＭＰａにしたことを特徴とする。
【０００７】
本発明の他のコンベヤベルトは、ベルト長手方向に延在する補強コードをベルト幅方向に所定の間隔でゴム層に埋設した補強層を備えたコンベヤベルトにおいて、前記ゴム層のゴムの損失正接tan δを０．０５≦tan δ≦０．２、５０％伸長時のモジュラスＭ50を１ＭＰａ≦Ｍ50≦２ＭＰａにしたことを特徴とする。
【０００８】
本発明の更に他のコンベヤベルトは、ベルト長手方向に延在する補強コードをベルト幅方向に所定の間隔でゴム層に埋設した補強層上に運搬物が接触する外面ゴム層を設けたコンベヤベルトにおいて、前記補強層及び前記外面ゴム層のゴムの損失正接tan δを０．０５≦tan δ≦０．２、５０％伸長時のモジュラスＭ50を１ＭＰａ≦Ｍ50≦２ＭＰａにしたことを特徴とする。
【発明の効果】
【０００９】
上述した本発明によれば、補強層と外面ゴム層の少なくとも一方のゴムの損失正接tan δとモジュラスＭ50を上記のように特定することにより、コンベヤベルトの走行抵抗を低減してエネルギー損失を抑制することができる。そのため、コンベヤベルトを駆動するモータで消費される電力を削減して省電力化を図ることが可能になる。
【発明を実施するための最良の形態】
【００１０】
以下、本発明の実施の形態について添付の図面を参照しながら詳細に説明する。
【００１１】
図１は本発明のコンベヤベルトの一例を示し、プーリが接触する内面ゴム層１上に補強層２を介して運搬物が接触する外面ゴム層３を設けた構成になっている。
【００１２】
内面ゴム層１は、従来と同様のゴムから構成され、例えば、天然ゴムなどを好ましく使用することができる。
【００１３】
補強層２は、ベルト長手方向に沿って延在する補強コードｆをベルト幅方向に所定の間隔でゴム層２ａに埋設して構成されている。ゴム層２ａのゴムの損失正接tan δが０．０５≦tan δ≦０．２に設定され、従来より低い範囲になっている。また、５０％伸長時のモジュラスＭ50を１ＭＰａ≦Ｍ50≦２ＭＰａの範囲にしてある。
【００１４】
ゴム層２ａに使用するゴムとしては、従来と同じものが使用でき、ＳＢＲ（スチレンブタジエンゴム）、天然ゴムなどを好ましく例示することができる。補強コードｆとしては、従来公知のものであればいずれのものを使用してもよく、例えば、スチールコードを好ましく挙げることができる。
【００１５】
外面ゴム層３も、従来と同様のゴム、例えば、天然ゴムなどから構成されるが、そのゴムの損失正接tan δと５０％伸長時のモジュラスＭ50を上記補強層２のゴム層２ａと同様に、０．０５≦tan δ≦０．２、１ＭＰａ≦Ｍ50≦２ＭＰａにしている。
【００１６】
本発明者らは、コンベヤベルトの省電力化について鋭意検討した結果、以下のことを知見した。即ち、プーリと接触する内面ゴム層のゴムの特性がコンベヤベルトのエネルギー損失に大きく影響することは確かであるが、鉄鉱石などの鉱物資源を搬送するトラフコンベヤなどに使用されるコンベヤベルトは、Ｕ字状に湾曲して使用されるため、補強層２及び外面ゴム層３のゴムの特性もコンベヤベルトのエネルギー損失に影響していることがわかった。特に搬送距離が１kmを超えるような長いラインで使用されるコンベヤベルトでその影響が大きい。
【００１７】
そこで、上記のように補強層２と外面ゴム層３のゴムの損失正接tan δとモジュラスＭ50を規定したのである。ゴムのエネルギー損失を低減するためには、損失正接tan δと共にモジュラスＭ50も適切な範囲に設定する必要がある。上述したように補強層２と外面ゴム層３のゴムの損失正接tan δとモジュラスＭ50を共に上記範囲に特定するのが、より走行抵抗を低減する上で好ましいが、いずれか一方だけであってもよい。
【００１８】
これにより、コンベヤベルトの走行抵抗を低減してエネルギー損失を抑制し、それによってコンベヤベルトを駆動するモータの消費電力を低減して省電力化を図ることができる。
【００１９】
損失正接tan δが０．０５未満であると、ゴムとしての弾性力が大きく低下してベルト耐久性に悪影響を及ぼす。逆に０．２を超えると、走行抵抗を低減することができない。好ましくは、０．１３〜０．１８の範囲にするのがよい。
【００２０】
モジュラスＭ50が１ＭＰａより小さいと、弾性力が低くなりすぎてエネルギー損失低減効果を得ることができない。逆に２ＭＰａを超えると、柔軟性に欠けるため、ベルト耐久性が低下して好ましくない。
【００２１】
本発明において、コンベヤベルトの厚さとしては、１２〜２０mmにすることができる。補強層２の厚さとしては、４〜７mm  、外面ゴム層３の厚さとしては、４〜１０mmにするのがよい。
【００２２】
本発明は、特に搬送距離が１kmを超えるような長いラインのトラフコンベヤで使用されるコンベヤベルトとして好適に用いることができるが、当然のことながらそれに限定されない。
【００２３】
なお、本発明における損失正接tan δは、東洋精機製作所製の粘弾性スペクトロメータを用いて、２０℃の測定温度下で、サンプルを１０％伸長させ、周波数１０Ｈｚで振幅±２％の振動を与えて測定するものである。また、モジュラスＭ50は、ＪＩＳ  Ｋ６２５１に準拠して、厚さ２mmの加硫ゴムシートをＪＩＳ３号ダンベル状試験片に打ち抜き、５０％モジュラスを測定するものである。
【実施例】
【００２４】
厚さ１６mm（補強層６．５mm、外面ゴム層５mm）、幅９００mmの、図１に示す構成を有するコンベヤベルトにおいて、内面ゴム層、補強層及び外面ゴム層のゴムの損失正接tan δとモジュラスＭ50を表１のようにした本発明コンベヤベルトと従来コンベヤベルトをそれぞれ作製した。
【００２５】
補強層のゴムにはＳＢＲと天然ゴムをブレンドしたゴム、補強コードにはスチールコードを使用し、また外面ゴム層のゴムには天然ゴムにＳＢＲ、ＢＲ（ブタジエンゴム）をブレンドしたゴムを使用した。
【００２６】
各コンベヤベルトを以下に示す方法により、消費電力を測定したところ、表１に示す結果を得た。
消費電力（指数）
各コンベヤベルトをライン長７．７ｋｍ、高低差１４０ｍの搬送ラインに取り付け、搬送量１６００ｔ／ｈの条件下でコンベヤベルトを１周させた時の消費電力を３回測定し、その平均値を従来ベルトコンベヤを１００とする指数値で示した。この値が小さい程、消費電力が低い。
【００２７】
【表１】
2005212952.tif 000003
【００２８】
表１から、本発明コンベヤベルトは、消費電力を低減でき、省電力化に寄与することがわかる。
【図面の簡単な説明】
【００２９】
【図１】本発明のコンベヤベルトの一例をベルト幅方向断面で示す要部断面図である。
【符号の説明】
【００３０】
１  内面ゴム層
２  補強層
２ａ  ゴム層  
３  外面ゴム層
ｆ  補強コード  
【図１】
2005212952.tif 000004